(57)【特許請求の範囲】
【請求項１】
電子的に選挙人の投票を受け付ける電子投票システムにおいて、
前記選挙人により前記投票に係る候補者の選択処理、前記候補者の選択確定処理、及び、前記候補者の選択取消処理の少なくとも一つの処理が行われる入力モードと、
前記入力モードにより入力された前記候補者の選択、前記候補者の選択確定、及び、前記候補者の選択取消を認識する認識手段と、
前記認識手段により認識された前記候補者の選択に基づいて、その結果を投票結果として記憶する一時記憶手段と、
前記認識手段により認識された前記候補者の選択取消に基づいて、前記一時記憶手段に記憶されている投票結果を消去する第１の消去手段と、
前記認識手段により認識された前記選択の確定に基づいて、前記一時記憶手段に記憶されている投票結果を第１の記録媒体に記録する記録手段と、
前記第１の記録媒体への記録が成功したか失敗したかを検査する第１の検査手段と、
前記第１の検査手段による検査結果が成功であった場合に、その結果が得られる毎に前記一時記憶手段に記憶されている投票結果を消去する第２の消去手段と、
前記第１の記録媒体に記録された投票結果を、第２の記録媒体に記録する手段と、
前記第２の記録媒体への記録が成功したか失敗したかを検査する第２の検査手段と、
を有することを特徴とする電子投票システム。
【請求項２】
請求項１に記載の電子投票システムにおいて、
前記第１の検査手段による検査結果が成功であった場合に、前記選挙人に対して前記投票の完了を通知する通知手段を有することを特徴とする電子投票システム。
【請求項３】
請求項１に記載する電子投票システムにおいて、
前記第１の検査手段による検査結果が成功であった場合に、少なくとも前記第２の検査手段による検査が終了するまで、前記選挙人の次の選挙人による投票を受け付けない手段を有することを特徴とする電子投票システム。
【請求項４】
請求項１乃至請求項３いずれか一項に記載の電子投票システムにおいて、
前記第１の検査手段又は第２の検査手段の検査の結果が失敗であった場合に前記投票を管理する投票管理者に通知する手段を有し、前記選挙人以後の投票の受付を停止することを特徴とする電子投票システム。
【発明の詳細な説明】
【０００１】
【発明の属する技術分野】
本発明は、選挙を行うための電子投票端末装置に関し、特に、電子投票結果を記録する電磁的記録媒体の脆弱性を補完する手段を有する電子投票装置及び選挙投票確定方法に関する。
【０００２】
【従来の技術】
従来、国会議員、都道府県知事、同議員、市町村長、及び同議員等の選挙では、公職選挙法に基づき、選挙人が投票用紙に立候補者の氏名を記入して、投票箱に投函して投票が行なわれる。その後、投票箱を体育館等の施設に集め、開票は人手により目視で行われ、投票結果を集計するという経緯をとっていた。
【０００３】
従って従来技術によれば、選挙人である投票者及び投票や開票を管理する投票管理者にかかる操作負担や作業負担が大きくなり、多くの時間と労力を必要としてしまっていた。かかる問題を解決する方法として本出願人が特開２０００−４０１１１公報に、また種々の電子投票端末装置（以下、投票端末ともいう）がすでに特許第２７４７１７１号、特許第２８８５６５７号などに開示されている。
【０００４】
電子投票では投票を記録する電磁的記録媒体の信頼性の確保ならびに投票に不正や改ざんがあったか否かを投票後に調べるという、投票結果の監査の必要性が指摘されていた。
【０００５】
これまでに投票を記録する電磁的記録媒体の信頼性を向上する技術として、電磁的記録媒体の二重化（ミラーリング）やＲＡＩＤの採用、または全ての投票の終了後にバックアップをとることなどが提案されていた。
【０００６】
【発明が解決しようとする課題】
しかしながら、２つの電磁的記録媒体を等価に扱う二重化では、原本の物理的な特定が困難であるという問題があった。また、ＲＡＩＤは装置が大規模になり運用、保管、費用の面で負担が大きくなってしまうという問題があった。更に、全ての投票の終了後にバックアップをとる方法では投票中の障害に対応できないという問題があった。
【０００７】
これらの問題を解決するために、本出願人等によって出願された、特願２００１−３４４４８５及び特願２００２−６８１５９に記載の技術により、投票の原本性を確保し電磁的記録媒体の脆弱性を補完する技術を提案した。しかし、これらの技術では障害発生時の的確な対応を可能にするためには不十分な点があった。
【０００８】
本発明は上記課題に鑑みなされたもので、投票結果を電磁的記録媒体に記録する電子投票システムにおいて、原本性の確保、投票中の障害発生に対する速やかな対処、投票終了後の開票所までの搬送過程および保管期間における電磁的記録媒体の障害に対する保障を提供することを目的とする。
【０００９】
【課題を解決するための手段】
上記目的を達成するため、  電子的に選挙人の投票を受け付ける電子投票システムにおいて、
前記選挙人により前記投票に係る候補者の選択処理、前記候補者の選択確定処理、及び、前記候補者の選択取消処理の少なくとも一つの処理が行われる入力モードと、
前記入力モードにより入力された前記候補者の選択、前記候補者の選択確定、及び、前記候補者の選択取消を認識する認識手段と、
前記認識手段により認識された前記候補者の選択に基づいて、その結果を投票結果として記憶する一時記憶手段と、
前記認識手段により認識された前記候補者の選択取消に基づいて、前記一時記憶手段に記憶されている投票結果を消去する第１の消去手段と、
前記認識手段により認識された前記選択の確定に基づいて、前記一時記憶手段に記憶されている投票結果を第１の記録媒体に記録する記録手段と、
前記第１の記録媒体への記録が成功したか失敗したかを検査する第１の検査手段と、
前記第１の検査手段による検査結果が成功であった場合に、その結果が得られる毎に前記一時記憶手段に記憶されている投票結果を消去する第２の消去手段と、
前記第１の記録媒体に記録された投票結果を、第２の記録媒体に記録する手段と、
前記第２の記録媒体への記録が成功したか失敗したかを検査する第２の検査手段と、
を有することを特徴とする電子投票システムを提供する。
【００１０】
また、請求項１に記載の電子投票システムにおいて、前記第１の検査手段による検査結果が成功であった場合に、前記選挙人に対して前記投票の完了を通知する通知手段を有することを特徴とする電子投票システムを提供する。
【００１１】
更に、請求項１に記載する電子投票システムにおいて、前記第１の検査手段による検査結果が成功であった場合に、少なくとも前記第２の検査手段による検査が終了するまで、前記選挙人の次の選挙人による投票を受け付けない手段を有することを特徴とする電子投票システムを提供する。
【００１２】
また更に、請求項１乃至請求項３いずれか一項に記載の電子投票システムにおいて、前記第１の検査手段又は第２の検査手段の検査の結果が失敗であった場合に前記投票を管理する投票管理者に通知する手段を有し、前記選挙人以後の投票の受付を停止することを特徴とする電子投票システムを提供する。
【００１３】
【発明の実施の形態】
以下図面を参照して本発明の電子投票システムに使用される電子投票端末装置（投票端末ともいう）の実施の形態を説明する。図１は本発明に係る電子投票システムに適用される電子投票端末装置の外観を示す斜視図である。この投票端末は、投票所に配置されており、選挙人に対して選挙に立候補した候補者の名前等の情報を表示し、選挙人が投票しようとする候補者を選択して投票を電子的に受け付けるものである。なお、投票端末の基本的構造としては、本出願人の先願である特開２０００−４０１１１号公報に示されているものを用いることができる。
【００１４】
図１において、投票端末には投票カード挿入部１２が設けられ、投票所内の投票カード発券機で発行された投票カードを選挙人が投票カード挿入部１２に挿入する。投票カードは磁気記録カードやＩＣカードなどを用いることができる。投票端末の内部にはカードリーダ（図２の７）が配置されており、投票カードの記録内容を読み取り、正規な投票カードか否かを判断し、正規であると判断されたときのみ、１回の投票操作が可能となる。投票端末にはタッチパネルＬＣＤ１３（図２のＬＣＤ１及びタッチパネル２によって構成される）が設けられ、投票操作が可能になると、タッチパネルＬＣＤ１３には選挙名や複数の候補者氏名が表示される。選挙人は、投票しようとする候補者の表示部分を指やスタイラスペンで押圧して選択する（以降、選択するという）ことができる。すなわち、タッチパネルＬＣＤ１３は投票受付手段として機能する。状態表示灯８は投票端末の各種状態、例えば投票受付け待ち、投票中、障害発生等を投票管理者に報知する手段として機能する。
【００１５】
図２は投票端末の内部構成を示すブロック図である。投票端末は、投票結果を電子的に記録する記憶媒体としてメモリカード９，１０、選挙データ（候補者データ）や投票プログラムが記録されている記憶媒体としてハードディスク５を備える。
【００１６】
メモリカード９，１０は可搬型であるので、取り出し、交換が容易であり、取り出したメモリカード９，１０を開票所に集めて投票結果を集計することができる。また、投票結果のバックアップ用として、メモリカード９，１０を複数個備える。これは、磁気的に記録するフレキシブルディスクなどの記録媒体を用いてもよい。あるいは複数種の記録媒体との併用も可能である。
【００１７】
図２に示している投票端末は、上記構成の他、ＲＡＭ３、ＲＯＭ４を有している。ＲＡＭ３には投票結果が一時的に記録される。ＲＡＭ３に一時記録された投票結果は、メモリカード９，１０に記録される。これらの各ブロックで示される回路や素子はＣＰＵ（中央演算処理装置）１１に接続されている。ＲＯＭ４は、読み取り専用メモリであり、電子投票端末装置の電源投入後の診断プログラム、システムを立ち上げるブートプログラム等が格納される。ＣＰＵ１１はデータの入出力を制御するＩ／Ｏとしての機能部分を内部または外部に有している。
【００１８】
図９はメモリカード９，１０に記憶される投票結果のデータ構造を示している。投票結果は投票ＩＤ、選挙種別、候補者番号、投票総数によって記録される。投票ＩＤは、その投票ＩＤから選挙人が推定できないようにランダムに発行することが望ましい。また、選挙種別は、衆議院議員選挙、市長選挙等の選挙の種類を識別する番号が記録される。更に、候補者番号は候補者名に対応した番号であり、投票総数は選挙種別にそれまでに記憶されている投票数を１カウントアップして記録される。
【００１９】
図３は投票管理者が選挙開始、中断、再開、選挙終了を行う状態を示すフローチャートである。また、図４は図３のステップに対応した投票端末のタッチパネルＬＣＤ１３の画面表示状態を示す図である。投票端末の電源を入れ、初期状態として、ステップＳ１で図４（ａ）に示すように投票開始待ち画面を表示する。ステップＳ２でＣＰＵはメモリカード９，１０の投票件数をチェックし、ステップＳ３で本投票の投票件数が０件であるかどうかの判断をし、０件以外の場合あるいはメモリカードが読めない場合は（ステップＳ３にてＮ）、ステップＳ２３に移行してエラー表示を行いシステムを終了する。そして、システム終了後にメモリカード９，１０を交換してステップＳ１から処理を再度行う。なお、本投票とは選挙人が正規に行った投票を意味し、それに対して動作確認のためのテスト投票がある。ハードディスク５及びメモリカード９，１０の記憶媒体にはテスト投票による候補者データは本投票とは区別して記憶され、投票端末は本投票による候補者データとテスト投票による候補者データを明確に識別できる。
【００２０】
ステップＳ３にて投票件数が０件である場合は（ステップＳ３にてＹ）、投票数０票を表示してステップＳ４へ移行する。そして、ステップＳ４で投票管理者は投票管理者保管の所定のキーで管理者モード（第２入力モード）へ切り替える。なお、投票端末にはキーの差込口（図示せず）があり、前述したキーによって管理者モードと投票モード（第１入力モード）の切り替えを行うことができる。そして、管理者モードに切り替わると、図４（ａ）の投票開始待ち画面の表示が有効となり、‘開始’を選択することが可能となる。ステップＳ５で‘開始’が選択されると（ステップＳ５にてＹ）、図４（ｂ）に示すインタラクティブデータ（パスワード）を入力することのできる管理者パスワード入力画面を表示する（ステップＳ６）。一方、ステップＳ５にて‘開始’が入力されないと（ステップＳ５にてＮ）、ステップＳ５を繰り返すことになる。
【００２１】
ステップＳ６にて管理者パスワード入力画面が表示されると、ステップＳ７に移行し、パスワードの認証が行われる。また、図４（ｂ）の‘戻る’を選択すると（ステップＳ７にてＮ）前画面（ステップＳ６）に戻る。パスワードの認証は、数字表示部を押圧することでパスワードを入力し、‘認証’を選択することにより行われる（ステップＳ７にてＹ）。そして、ステップＳ８でパスワードの正当性が判断される。パスワードが正当である場合（ステップＳ８にてＹ）、ステップＳ１１へ移行し、投票管理者が所定のキーで投票モードへ切り替え、投票操作が可能な状態となる。なお、パスワードは投票プログラムとともに投票端末内部に保管されている。また、パスワードが正当でない場合（ステップＳ８にてＮ）、ステップＳ７のパスワードの認証を再び行う。
【００２２】
ステップＳ１１にて投票モードへと切り替わった場合、ステップＳ１２で選挙人による投票操作が繰り返され、電磁的記録媒体に順次投票結果が記録される。なお、選挙人の投票操作及び投票結果の電磁的記録媒体への記録方法は後述する。
【００２３】
そして、選挙終了時刻になり、選挙人による投票操作が終了すると、ステップＳ１３にて投票管理者は所定のキーにより投票モードから管理者モードに切り替える。するとステップＳ１４にてＣＰＵ１１の制御により図４（ｃ）に示す投票中断画面が表示される。投票中断画面における操作は投票中にトラブルが起こった場合などにも可能である。そして、ステップＳ１５で図４（ｃ）に示す投票中断画面の‘選挙終了’を選択すると（ステップＳ１５にてＹ）、ステップＳ１６に移行して図４（ｄ）の選挙終了画面が表示される。ここで、‘終了’を選択すると（ステップＳ１６にてＹ）、ステップＳ１７に移行して図４（ｂ）に示す管理者パスワード入力画面が表示される。ここで、管理者が数字表示部を押圧してパスワードを入力し、ステップＳ１８で‘認証’を選択すると（ステップＳ１８にてＹ）、ステップＳ１９に移行してパスワードの正当性を判断する。このとき投票管理者は、投票立会人とともに確認を行ってもよい。ステップＳ１９にてパスワードが正当である場合（ステップＳ１９にてＹ）、ステップＳ２２でシステムを終了させる処理を行いシステムを終了する。
【００２４】
なお、上述したステップＳ１５にて‘選挙終了’を選択しなかった場合は（ステップＳ１５にてＮ）ステップＳ１２に戻り、ステップＳ１６にて‘終了’を選択しなかった場合は（ステップＳ１６にてＮ）ステップＳ１５に戻る。また、ステップＳ１８にて‘戻る’が選択された場合は（ステップＳ１８にてＮ）ステップＳ１７に戻り、ステップＳ１９にてパスワードが正当ではないと判断された場合は（ステップＳ１９にてＮ）ステップＳ１８に戻る。
【００２５】
ところで、投票中断によって、選挙人が投票カードを挿入したまま退出した場合、これまでの投票は有効化して投票カードを抜き取ること、記憶媒体の交換、接続機器との機器診断等を行うことができる。また、投票中断の内容、中断時刻を記憶媒体に記録し、これら媒体を監査ログとしてもよい。
【００２６】
以上説明したように、投票管理者が保管するキーを使用する場合のみパスワード画面に切り替えることができ、更に、投票管理者のみが知っているパスワードを入力することで選挙開始、選挙終了ができるという二重のセキュリティを有するので、投票中に投票端末が選挙人等によって不正に操作される恐れがない。
【００２７】
また、投票中に停電があったり、通信不可能になったり、記憶媒体へのアクセスが不可能になったり等の障害があった場合、即座に投票を終了しなければならないと同時に、その時点までに行われた投票結果は確定しなければならない。そのため投票端末は停電時でも投票端末のシステムを終了するに足りうる予備のバッテリを備えている。
【００２８】
図５は、障害が発生した場合の選挙終了情報を記録する動作を示すフローチャートである。ステップＳ５１で選挙人による投票操作が行われており、その最中にＣＰＵ１１が障害発生を検知すると（ステップＳ５２にてＹ）、ＣＰＵ１１の制御により、障害内容を画面に表示し（ステップＳ５３）、障害内容、障害発生時刻、投票所番号、選挙終了情報などをハードディスク５やメモリカード９，１０に記録し（ステップＳ５４）、投票端末のシステムの終了処理を行い（ステップＳ５５）処理を終了する。なお、上述した選挙人による投票操作の最中には投票開始待機中も含まれる。また、障害発生を検知した後は、タッチパネルＬＣＤ１３の入力を無効化してもよい。更に障害内容によってＣＰＵ１１の制御により即座にステップＳ５３以降の処理を行うか、あるいは障害が発生したときに投票中の選挙人の投票終了を待ってからステップＳ５３以降の処理を行うかを選択的に決定しても良い。例えば、障害内容が停電である場合、投票端末のシステムは予備バッテリを備えているので、停電時に投票中の選挙人が投票を終了した後、ステップＳ５３以降の処理を行うことが可能である。
【００２９】
図６は選挙人が投票を行い、投票結果が電磁的記録媒体に記録され、投票が終了するまでの動作を示すフローチャートである。選挙人が投票端末の前に立つと、人体センサなどでその存在を検知して、選挙開始画面を表示する（ステップＳ６１）。そして、選挙人に投票カードを挿入するように音声、画面表示、ランプ表示等により促す。次に投票カードの挿入が判別され（ステップＳ６２）、投票カードが挿入され、その投票カードの投票ＩＤを読み取って投票カードが正当であると判断されると（ステップＳ６２にてＹ）、選挙の候補者一覧を表示する（ステップＳ６３）。次に、選挙人が候補者を選択すると（ステップＳ６４にてＹ）、ステップＳ６５で選択候補者の‘確定’及び‘取消’の確認表示をし、ＲＡＭ３に選択候補者情報を保持する。なお、ステップＳ６４にて候補者が選択されなかった場合、及びステップＳ６６にて候補者が確定されなかった場合にはステップＳ６３に戻り候補者一覧が再び表示される。
【００３０】
ステップＳ６６で選挙人が‘確定’を選択すると（ステップＳ６６にてＹ）、ＲＡＭ３に保持されている選択候補者情報すなわち投票結果をメモリカード９，１０に書き込む（ステップＳ６７）。このとき、ＲＡＭ３に記憶された選択候補者情報は消去する。そして、未投票選挙があるかを判断し（ステップＳ６９）、未投票選挙がある場合は（ステップＳ６９にてＹ）、ステップＳ６３へ戻って次の選挙を行う。未投票選挙がない場合は（ステップＳ６９にてＮ）、ステップＳ７１で選挙終了を表示して投票カードを排出する。そして、投票処理を終了する。
【００３１】
図７は、投票結果を記録する前記ステップ６７の処理の詳細を示すフローチャートである。すなわち、前記ステップＳ６６において確定された投票結果を、まずステップＳ１０１で一時記憶から原本用記録媒体に書き込む。
【００３２】
次にステップＳ１０２で書き込みに対する監査を行う（ステップＳ１０２）。これはデータが正しく書き込まれたかどうかを検査するためのものであり、書き込み時のエラーがなくデータベリファイ（照合）の結果が一致した場合は監査の結果は「成功」でありステップＳ１０３に進む。一方、書き込み時にエラーがあった場合やデータベリファイの結果が一致しない場合は所定の回数の再試行を繰り返し、書き込み不能と判断した場合は監査の結果を「失敗」とし、Ｂ１を経由してステップＳ１１１に進む。
【００３３】
なお、ステップＳ１０２による監査が「成功」であった時点で、選挙人による投票は有効となる。以後、投票端末では、二重投票を防止するため、投票カードを「使用済み」として排出すること、ならびに信頼性向上のため副本を作成する動作を行う。これらの２つの動作は独立しており並行して進めることができる。しかしながら投票カードの排出が先行した場合でも、副本の作成が完了するまでは、次の選挙人による投票の受付けを制限することが、障害発生時の対応上望ましい。
【００３４】
ステップＳ１０３において、一時記憶を消去し、ステップＳ１０４において、次の投票の受付けを抑止する。そして、Ａ１を経由してステップＳ１０５に移行し、このステップＳ１０５おいてステップＳ１０１で書き込んだ原本記録用媒体のデータを読み出し、ステップＳ１０６で副本記録用媒体に書き込む。ここで、ステップＳ１０３とステップＳ１０４の順序は逆であっても構わない。また、ステップＳ１０５において読み出す投票結果のデータは、一時記憶の内容と等価であるため、ステップＳ１０３およびステップＳ１０５を省略し、ステップＳ１０８の前に一時記憶の消去を行ってもよい。
【００３５】
そして、ステップＳ１０７では副本記録用媒体に対して、ステップＳ１０２と同様の監査を行う。監査の結果が「失敗」であった場合は、Ｂ２を経由してステップＳ１１４に進む。監査の結果が「成功」であった場合は、ステップＳ１０８に移行してステップＳ１０４で行った次の投票の受付け抑止を解除し終了待ち状態に移行する。
【００３６】
ステップＳ１０９及びステップＳ１１０は、ステップＳ１０５〜１０８と並行して進めることができる。まず、ステップＳ１０９において、選挙人に対して投票の完了を通知する。本実施例ではＬＣＤ１の画面による表示を想定しているが、専用のランプやＬＥＤ等を用いてもよい。そして、ステップＳ１１０において投票カードを「使用済み」として排出する。
【００３７】
上述した投票結果の有効性は原本用記録媒体への書き込みが完了した時点、すなわちステップＳ１０２における監査の「成功」をもって確立しているが、運用上の選挙人の投票行為はステップＳ１１０の完了によって終了することになる。従って、次の選挙人による投票の受付けは、ステップＳ１０８およびステップＳ１１０が、共に完了するまで保留される。
【００３８】
なお、ステップＳ１０２での監査が「失敗」であった場合、選挙人が選択・確定した投票結果の有効性は確立できない。すなわち選挙人は一票の権利を保持した状態である。投票端末は障害発生の状態であるため、これを選挙人及び選挙管理者に通知する必要がある。そのため、ステップＳ１１１において以後の投票の受付けを停止する。そして、ステップＳ１１２において投票結果の書込み障害が発生したことを示すエラー画面をＬＣＤ１に表示するとともに、状態表示灯８を点滅する等の方法によって選挙人ならびに選挙管理者に障害状況を通知する。選挙人は一票の権利を保持した状態であるため、ステップＳ１１３において、投票カードを「未使用」として排出する。
【００３９】
一方、ステップＳ１０７での監査が「失敗」であった場合であるが、原本用記録媒体への書き込みは正常に完了しているため、投票結果の有効性は確立している。したがって、ステップＳ１０９及びステップＳ１１０の動作に対する変更は不要である。しかしながら投票端末は障害発生の状態であるため、これを選挙管理者に通知する必要がある。すなわちステップＳ１１４において、以後の投票の受付けを停止する。ステップＳ１１５において投票結果の書込み障害が発生したことを示すエラー画面をＬＣＤ１に表示するとともに、状態表示灯８を点滅する等の方法によって管理者に障害状況を通知する。このとき原本記録用媒体の障害と副本記録用媒体の障害の区別がつく通知を行うことが望ましい。
【００４０】
さて、ここまで電磁的記録媒体の障害発生を想定し、これを保障する技術について述べたが、電子投票端末においては、ＬＣＤ１や投票カードリーダーライターなど、電磁的記録媒体以外の障害についても考慮する必要がある。図８は、図７に示すフローチャートの動作の結果、選挙人や選挙管理者に通知される状態を示している。状態３の正常な状態では、Ｓ１０９において投票の完了が通知され、Ｓ１１０において投票カードが「使用済み」として排出され、次の選挙人による投票が受け付けられるという動作を繰り返す。また、状態１および５は、図７の動作が想定する障害の結果を示す。一方、状態２、４、６、７、８、９、１０、１１は、ＬＣＤや投票カードリーダーライターなどの障害によって、通知ができない場合や投票カードが排出されない場合を示している。これらの場合についても本技術を用いることによって、無応答である状態１１を除いて、投票の有効性を判断することができる。
【００４１】
原本記録用媒体の障害と認められる、状態５、６、１０、ならびに無応答である状態１１では投票結果の精査が必須である。またそれ以外の場合も運用によって精査を行うことが望ましい。なお、図８に示すもの以外の組み合わせは、図７の動作からは発生し得ないものであり、それが発生した場合は重度の障害とみなし、状態１１と同様の取り扱いを行う。
【００４２】
精査には本出願人等が、特願２００１−３４４４８５および特願２００２−６８１５９等で提示した、投票ログを用いることができる。精査そのものは開票所で行うが、本技術によれば投票所において、投票の有効性および精査の要否が判断できるため、障害発生時の的確な対応が可能である。
【００４３】
なお、本発明は上記実施の形態に限定されるものではなく、その要旨を逸脱しない範囲で種々変形して実施することができる。
【００４４】
【発明の効果】
以上説明したように本発明によれば、電子投票システムにおいて、投票の原本性を確保し、かつ電磁的記録媒体の脆弱性を補完するとともに、障害発生時の的確な対応を可能にする電子投票端末ならびに投票データの記録方法を提供することができる。
【図面の簡単な説明】
【図１】本発明の一実施形態に係わる電子投票端末装置の外観図の斜視図である。
【図２】図１の電子投票端末装置の内部構成を示すブロック図である。
【図３】図１の電子投票端末装置の動作を示すフローチャートである。
【図４】図３のフローチャートにおける画面遷移図である。
【図５】図１の電子投票端末装置の障害発生時の選挙情報を記録する動作を示すフローチャートである。
【図６】図１の電子投票端末装置の投票結果を記録する動作を示すフローチャートである。
【図７】図１の電子投票端末装置内部の電磁的記録媒体の記録動作を示すフローチャートである。
【図８】図７のフローチャートにおける状態と障害検出の対応表である。
【図９】図１の電子投票端末装置で記録されるデータ構造を示している。
【図１】
0003925786.tif 000002
【図２】
0003925786.tif 000003
【図３】
0003925786.tif 000004
【図４】
0003925786.tif 000005
【図５】
0003925786.tif 000006
【図６】
0003925786.tif 000007
【図７】
0003925786.tif 000008
【図８】
0003925786.tif 000009
【図９】
0003925786.tif 000010